(57)【要約】      （修正有）【課題】例えば世帯数の多い集合住宅においても、主制御部への配線を容易且つ確実に行うことのできる液体燃料供給装置を提供する。【解決手段】オイルリフタ１１及び電磁ポンプ１２を制御する主制御部１３と、各サブタンク２０内の灯油の量を検知するフロートセンサを有する副制御部２１とを、中継器３０を介して接続し、中継器３０に設けた第１の接続部３１と主制御部１３とを通信線Ｌ１０によって接続するとともに、中継器３０に設けた第２の接続部３２と各副制御部２１とを通信線Ｌ１１によってそれぞれ接続し、中継器３０によって通信線Ｌ１０と各通信線Ｌ１１とを接続するようにしたので、主制御部１３に通信線Ｌ１０のみが接続され、主制御部１３の配線を簡素化することができる。【選択図】図２
2006078165.tif 000002
【特許請求の範囲】
【請求項１】
液体燃料を収容可能なメインタンクと、メインタンクから供給される液体燃料を収容可能な複数のサブタンクと、メインタンクから各サブタンクにそれぞれ液体燃料を供給する供給手段と、供給手段を制御する主制御部とを備え、各サブタンク側に配置された所定の機器と主制御部とを通信線を介して接続した液体燃料供給装置において、
前記主制御部と各サブタンクとの間に配置され、主制御部との間の通信線と各サブタンク側との間の複数の通信線とを接続する中継器を備えた
ことを特徴とする液体燃料供給装置。
【請求項２】
前記中継器に、主制御部と各サブタンク側との間の通信線の断線の有無をそれぞれ表示する表示手段を設けた
ことを特徴とする請求項１記載の液体燃料供給装置。
【請求項３】
前記中継器に、各サブタンク内の燃料が所定量未満になったことをそれぞれ表示する表示手段を設けた
ことを特徴とする請求項１または２記載の液体燃料供給装置。
【請求項４】
前記表示手段を点灯と非点灯とを切換える発光体によって構成した
ことを特徴とする請求項３記載の液体燃料供給装置。
【請求項５】
前記供給手段を、液体燃料をメインタンクから所定の容器まで汲上げる汲上機と、容器の液体燃料を各サブタンクに給送するポンプとから構成した
ことを特徴とする請求項１、２、３または４記載の液体燃料供給装置。
【請求項６】
前記容器の液体燃料の量が所定の下限値未満になると供給手段のポンプを停止させる制御手段を備えた
ことを特徴とする請求項５記載の液体燃料供給装置。
【請求項７】
前記容器の液体燃料の量が供給手段のポンプを停止してから所定の時間内に所定の下限値以上に復帰した場合はポンプの停止状態を解除し、ポンプを停止してから所定の時間内に所定の下限値以上に復帰しない場合は少なくとも一回だけ所定時間の経過待ちをした後、前記下限値以上に復帰しないときは汲上機を停止させる制御手段を備えた
ことを特徴とする請求項６記載の液体燃料供給装置。
【発明の詳細な説明】
【技術分野】
【０００１】
本発明は、例えば、集合住宅において各住戸の暖房器等に灯油等の液体燃料を供給する液体燃料供給装置に関するものである。
【背景技術】
【０００２】
一般に、例えばマンション等の集合住宅に設置される液体燃料供給装置としては、給油車から供給される液体燃料を収容可能なメインタンクと、メインタンクよりも各住戸に近い位置に配置され、メインタンクから供給される液体燃料を収容可能な複数のサブタンクと、メインタンクから各サブタンクに液体燃料を流通させるための電磁ポンプと、電磁ポンプによる液体燃料の流通を制御する主制御部と、各サブタンクにそれぞれ設けられ、各サブタンクから各住戸への液体燃料の供給の制御や、各サブタンク内の液体燃料の量を監視する副制御部とを備えたものが知られている（例えば、特許文献１参照。）。
【０００３】
前記燃料供給装置は、主制御部と各副制御部とが接続されており、各サブタンクの液体燃料が所定の量より少なくなると、そのサブタンクの副制御部から主制御部に信号が伝達される。主制御部はその信号に基づき電磁ポンプを駆動することにより、メインタンクからサブタンクに液体燃料を供給し、各サブタンクが常に所定の量の液体燃料を収容するようになっている。
【特許文献１】特開平１１−１９０５００号公報
【発明の開示】
【発明が解決しようとする課題】
【０００４】
ところで、前記燃料供給装置では、主制御部と各副制御部とをそれぞれ接続するために主制御部に複数の通信線を接続する必要があるが、マンション等の集合住宅の場合は世帯数が多いため、主制御部に接続される通信線の数量が増加し、主制御部への配線が複雑となって配線の取り違えや配線不良が発生し易くなるという問題点があった。
【０００５】
本発明は前記問題点に鑑みてなされたものであり、その目的とするところは、例えば世帯数の多い集合住宅においても、主制御部への配線を容易且つ確実に行うことのできる液体燃料供給装置を提供することにある。
【課題を解決するための手段】
【０００６】
本発明は前記目的を達成するために、液体燃料を収容可能なメインタンクと、メインタンクから供給される液体燃料を収容可能な複数のサブタンクと、メインタンクから各サブタンクにそれぞれ液体燃料を供給する供給手段と、供給手段を制御する主制御部とを備え、各サブタンク側に配置された所定の機器と主制御部とを通信線を介して接続した液体燃料供給装置において、前記主制御部と各サブタンクとの間に配置され、主制御部との間の通信線と各サブタンク側との間の複数の通信線とを接続する中継器を備えている。
【０００７】
これにより、主制御部と中継器との間を各サブタンクと中継器との間の通信線よりも少ない本数の通信線によって接続可能となることから、主制御部への通信線の配線が簡素化される。
【発明の効果】
【０００８】
本発明の液体燃料供給装置によれば、主制御部への通信線の配線を簡素化することができるので、例えば、マンション等の世帯数が多い集合住宅の場合でも、主制御部への通信線の配線を容易且つ確実に行うことができる。
【発明を実施するための最良の形態】
【０００９】
図１乃至図６は本発明の一実施形態を示すもので、図１は液体燃料供給装置の集合住宅への設置状態を示す概略図、図２は液体燃料供給装置の概略構成図、図３は制御系を示すブロック図、図４はメインタンクから各サブタンクに灯油を供給する際の主制御部の動作を示すフローチャート、図５は電磁ポンプのエア抜きを行う際の主制御部の動作を示すフローチャート、図６は主制御部と各副制御部との断線を第１ＬＥＤで表示する際の中継器の動作を示すフローチャートである。
【００１０】
この液体燃料供給装置は、５階建ての集合住宅１と、集合住宅１の地下に配置されたメインタンク２と、集合住宅１の外側の地上に配置された検針盤１０と、集合住宅１の各階に配置された複数（本実施形態では１０個）のサブタンク２０とを備えている。
【００１１】
メインタンク２は両端を閉鎖された円筒形状に形成され、内部に灯油を収容可能になっている。メインタンク２は集合住宅１の地下に配置されるとともに、メインタンク２の上部には連通管２ａが設けられ、連通管２ａが地上に設けられた燃料供給口２ｂに連通している。即ち、液体燃料供給車から燃料供給口２ｂに灯油を注入することにより、メインタンク２に灯油が供給される。
【００１２】
検針盤１０は、メインタンク２から灯油を汲上げる汲上機としてのオイルリフタ１１と、オイルリフタ１１で汲上げた灯油を各サブタンク２０に給送するポンプとしての電磁ポンプ１２と、主制御部１３とを備えている。
【００１３】
オイルリフタ１１は汲上管１１ａ及び戻り管１１ｂによってメインタンク２に連通し、モータで回転するロータによって、灯油を汲上管１１ａからオイルリフタ１１内の図示しない所定の容器としての貯油槽に汲上げるようになっている。貯油槽内には図示しない周知のフロートスイッチが２つ設けられ、一方のフロートスイッチは貯油槽内の灯油の量が所定の上限値であることを検知し、他方のフロートスイッチは貯油槽内の灯油の量が所定の下限値であることを検知するようになっている。また、各フロートスイッチに応じて灯油の汲上げを行い、常に貯油槽内の灯油の量が所定の上限値と下限値の間となるように構成されている。さらに、オイルリフタ１１は安全装置を備えており、貯油槽内の灯油の量が所定の下限値を下回っている状態で、灯油を汲上げるために作動し続けて一定時間が経過すると、オイルリフタ１１の発熱等による故障を防ぐため、その作動を強制的に停止するように構成されている。
【００１４】
また、貯油槽に所定の上限値以上以上の灯油が汲上げられると、戻り管１１ｂからメインタンク２に灯油を戻すようになっている。尚、貯油槽は上面が開放されており、貯油槽内の灯油から汲上げ時等に灯油内に生ずる微小な気泡が抜け出すようになっている。
【００１５】
電磁ポンプ１２は電磁駆動の周知のポンプからなり、連通管１２ａによってオイルリフタ１１の貯油槽と連通するとともに、連通管１２ｂによって各サブタンク２０に連通している。また、電磁ポンプ１２と貯油槽との間には、灯油内の不純物を取り除くためのストレーナ１２ｃと、貯油槽から電磁ポンプ１２側に流通した灯油の流量を検知するための流通量計１２ｄとが設けられている。さらに、電磁ポンプ１２の各サブタンク２０側には電磁弁からなる第１バルブ１２ｅが設けられ、電磁ポンプ１２から各サブタンク２０への灯油の流路を開閉するようになっている。また、電磁ポンプ１２は戻り管１２ｆによってメインタンク２に連通するとともに、戻り管１２ｆの電磁ポンプ１２側には電磁弁からなる第２バルブ１２ｇが設けられ、電磁ポンプ１２からメインタンク２への灯油の流路を開閉するようになっている。
【００１６】
主制御部１３はマイクロコンピュータからなり、エラー表示器１４を備えている。また、主制御部１３は通信線Ｌ１によってオイルリフタ１１に、通信線Ｌ２によって電動ポンプ１２に、通信線Ｌ３によって流通量計１２ｄに、通信線Ｌ４によって第１バルブ１２ｅに、通信線Ｌ５によって第２バルブ１２ｇに、通信線Ｌ６によってエラー表示器１４に接続されている。
【００１７】
各サブタンク２０は両端を閉鎖された円筒形状に形成され、内部に灯油を収容可能になっている。サブタンク２０は集合住宅１の各階にそれぞれ２個ずつ配置され、連通管１２ｂによって電磁ポンプ１２に連通している。連通管１２ｂの各サブタンク２０側には、灯油内の不純物を取り除くためのストレーナ２０ａと、電磁ポンプ１２から各サブタンク２０への灯油の流路を開閉する電磁弁からなる第３バルブ２０ｂとがそれぞれ設けられている。また、各サブタンク２０と各住戸の暖房器等とが連通管２０ｃによって連通するとともに、連通管２０ｃの各サブタンク側に第４バルブ２０ｄが設けられ、サブタンク２０から各住戸の暖房器等への灯油の流路を開閉するようになっている。さらに、サブタンク２０は内部にフロートセンサ２０ｅを備え、サブタンク２０内の灯油の量が所定の下限値を下回ったこと及び所定の上限値を上回ったことを検知可能になっている。
【００１８】
各サブタンク２０にはマイクロコンピュータからなる副制御部２１が設けられ、副制御部２１は通信線Ｌ７によって第３バルブ２０ｂに、通信線Ｌ８によって第４バルブ２０ｄに、通信線Ｌ９によってフロートセンサ２０ｅに接続されている。
【００１９】
主制御部１３と副制御部２１とは中継器３０を介して通信線で接続されている。即ち、主制御部１３と中継器３０とが通信線Ｌ１０によって接続され、中継器３０と各副制御部２１とが通信線Ｌ１１によってそれぞれ接続されている。詳しくは、中継器３０は内部に一つの第１の接続部３１と複数（本実施形態では１０個）の第２の接続部３２とを有しており、第１の接続部３１が通信線Ｌ１０と接続するとともに、各第２の接続部３２が各通信線Ｌ１１と接続している。また、第１の接続部３１と第２の接続部３２とはそれぞれ通信線Ｌ１２によって接続されている。さらに、各第２の接続部３２には発光体としての第１ＬＥＤ３３と第２ＬＥＤ３４がそれぞれ設けられている。第２ＬＥＤ３４はサブタンク２０内の灯油の量が所定の下限値以上である場合は点灯し、所定の下限値に満たない場合は点灯しないように構成されている。
【００２０】
以上のように構成された液体燃料供給装置においては、先ず、主制御部１３を操作することにより、第１バルブ１２ｅを開放するとともに第２バルブ１２ｇを閉鎖し、また、第４バルブ２０ｄを閉鎖するとともに第３バルブ２０ｂを一つずつ開放し、電磁ポンプ１２によって各サブタンク２０内に所定量の灯油が収容された状態とする。
【００２１】
次に、各バルブ１２ｅ，１２ｇ，２０ｂ，２０ｄを閉鎖した状態で自動運転に切換え、各サブタンク２０内に常に所定量の灯油が収容されているように、主制御部１３及び副制御部２１によって制御する。
【００２２】
この際の主制御部１３の動作を図４に示すフローチャートを参照しながら説明すると、各副制御部２１によって各第４バルブ２０ｄをそれぞれ開閉して各住戸の暖房器等に灯油を供給することにより、各サブタンク２０のうち一つのサブタンク２０の灯油の量が所定の下限値以下になり、そのサブタンク２０の副制御部２１から主制御部１３に灯油の供給を要求する信号が伝達されると（Ｓ１）、主制御部１３は第１バルブ１２ｅを開放するするとともに（Ｓ２）、第３バルブ２０ｂの開放を要求する信号を副制御部１３に伝達し（Ｓ３）、電磁ポンプ１２を駆動して貯油槽からサブタンク２０に灯油を供給する（Ｓ４）。一方、副制御部２１から主制御部１３に灯油の供給を要求する信号が伝達されない場合（Ｓ１）、貯油槽の灯油が下限値未満になると（Ｓ５）、オイルリフタ１１を再起動する（Ｓ１６）。
【００２３】
灯油を供給しているサブタンク２０の副制御部２１から主制御部１３に灯油の量が所定の上限値以上になったという信号が伝達されると（Ｓ６）、主制御部１３は電磁ポンプ１２を停止するとともに（Ｓ７）、第３バルブ２０ｂの閉鎖を要求する信号を副制御部２１に伝達し（Ｓ８）、第１バルブ１２ｅを閉鎖する（Ｓ９）。
【００２４】
ここで、ステップＳ４で電磁ポンプ１２を駆動して灯油を流通している際に、オイルリフタ１１の貯油槽内の灯油の量が所定の下限値を下回った場合は（Ｓ１０）、電磁ポンプ１２を停止し（Ｓ１１）、第３バルブ２０ｂの閉鎖を要求する信号を副制御部２１に伝達し（Ｓ１２）、第１バルブ１２ｅを閉鎖して灯油の供給を停止する（Ｓ１３）。その後、電磁ポンプ１２を停止してから一定時間以上経過していない状態で（Ｓ１４）、貯油槽内の灯油の量が所定の下限値を下回っているか否かを再度確認し（Ｓ１５）、貯油槽内の灯油の量が所定の下限値以上になると、再度ステップＳ１から処理を行うようにする。このため、貯油槽内の灯油が減少することにより連通管１２ａにエアーが侵入し、電磁ポンプ１２がエア噛みを起こすことを防止できる。
【００２５】
さらに、ステップＳ１１で電磁ポンプ１２を停止してから一定時間以上経過した場合は（Ｓ１４）、オイルリフタ１１を再起動する（Ｓ１６）。これにより、貯油槽内の灯油の量が所定の下限値を下回る状態となってから一定時間後にオイルリフタ１１の安全装置が作動し、オイルリフタ１１が強制的に停止することを防止できる。この後、オイルリフタ１１を再起動してから一定時間以上経過していない状態で（Ｓ１７）、貯油槽内の灯油の量が所定の下限値を下回っているか否かを再度確認し（Ｓ１８）、貯油槽内の灯油の量が所定の下限値以上になると、再度ステップＳ１から処理を行うようにする。
【００２６】
しかし、オイルリフタ１１を再起動してから一定時間以上経過しても、貯油槽内の灯油の量が所定の下限値を下回っている場合は、エラー表示器１４を点灯させるとともに（Ｓ１９）、主制御部１３が自動で動作しないように自動運転を停止させる（Ｓ２０）。
【００２７】
前記のように、貯油槽内の灯油が減少することにより電磁ポンプ１２がエア噛みすることはないが、連通管１２ａに亀裂等が発生し、電磁ポンプ１２がエア噛みする場合も考えられる。従って、一つのサブタンク２０への灯油の供給が終了した後に、電磁ポンプ１２のエア噛みの有無を確認し、エア噛みが認められる場合は、電磁ポンプ１２のエア抜きを行うようにしている。この際の主制御部１３の動作について図５に示すフローチャートを参照して説明すると、貯油槽からサブタンク２０側への灯油の流通量が減少し、流通量計１２ｄによって検知される灯油の流通量が所定の流通量の下限値を下回ると（Ｓ３１）、第２バルブ１２ｇを所定時間だけ開放するとともに（Ｓ３２）、電磁ポンプ１２を所定時間だけ駆動する（Ｓ３３）。これにより、貯油槽からメインタンク２に灯油を流通させ、電磁ポンプ１２内のエア抜きを行う。所定時間の経過後は電磁ポンプ１２を停止するとともに（Ｓ３４）、第２バルブ１２ｇを閉鎖する（Ｓ３５）。ステップ３２からステップ３５を行った回数が所定回数以下で（Ｓ３６）、且つ、ステップＳ３２からステップＳ３５における灯油の流通量を流通量計１３によって検知した結果、所定の流通量に満たない場合は（Ｓ３７）、再度ステップＳ３２からステップＳ３５を繰返す。ステップＳ３２からステップＳ３５を所定回繰返しても流通量計１３の検知結果が所定の流通量に満たない場合は（Ｓ３６）、エラー表示器１４を点灯させるとともに（Ｓ３８）、主制御部１３が自動で動作しないように自動運転を停止させる（Ｓ３９）。
【００２８】
また、中継器３０の動作について図６に示すフローチャートを参照して説明すると、先ず、主制御部１３と各副制御部２１とが正常に接続されており、各ＬＥＤ３３，３４が点灯した状態となっている。ここで、例えば、中継器３０と各副制御部２１のうち一つの副制御部２１との通信線Ｌ１１が断線すると（Ｓ４１）、その通信線Ｌ１１が接続されている第２の接続部３２の第１ＬＥＤ３３を点灯しないようにする（Ｓ４２）。
【００２９】
このように、本実施形態の液体燃料供給装置によれば、メインタンク２から複数のサブタンク２０に灯油を供給するオイルリフタ１１及び電磁ポンプ１２を制御する主制御部１３と、各サブタンク２０内の灯油の量が所定の下限値以下になったことを検知するフロートセンサを有する副制御部２１とを、中継器３０を介して接続し、中継器３０に設けた第１の接続部３１と主制御部１３とを通信線Ｌ１０によって接続するとともに、中継器３０に設けた第２の接続部３２と各副制御部２１とを通信線Ｌ１１によってそれぞれ接続し、中継器３０によって通信線Ｌ１０と各通信線Ｌ１１とを接続するようにしたので、主制御部１３には通信線Ｌ１０のみが接続され、主制御部１３の配線を簡素化することができる。よって、例えばマンション等の世帯数が多い集合住宅１の場合でも、主制御部１３の通信線の配線を容易に行うことができる。
【００３０】
また、中継器３０の各第２の接続部３２に、主制御部１３と各副制御部２１とが接続されている際には点灯し、断線している際には点灯しない第１ＬＥＤ３３を設けたので、中央制御部３０の第１ＬＥＤを確認することにより、容易に各通信線Ｌ１０，Ｌ１１の断線を発見することができる。
【００３１】
また、メインタンク２から灯油を汲上げて各サブタンク２０に供給するため、メインタンク２からオイルリフタ１１の貯油槽に灯油を汲上げ、貯油槽の灯油を電磁ポンプ１２によって各サブタンク２０に供給するようにしたので、貯油槽において灯油内の微小な気泡が抜け出し、電磁ポンプ１２内に空気が侵入することがない。よって、電磁ポンプ１２がエア噛みを起こし、電磁ポンプ１２による灯油の供給能力が低下することを防止できる。
【００３２】
さらに、オイルリフタ１１の貯油槽内の灯油の量が所定の下限値に下回っている場合は電磁ポンプ１２を停止し、貯油槽内の灯油の量が所定の下限値以上になると再度電磁ポンプ１２を駆動するようにしたので、貯油槽内の灯油が減少することにより電磁ポンプ１２側にエアーが侵入し易くなり、電磁ポンプ１２がエア噛みを起こすことを防止できる。
【００３３】
また、メインタンク２の灯油が不足してオイルリフタ１１の貯油槽内の灯油の量が所定の下限値を下回り、即ち、オイルリフタ１１が空回りしている状態で一定時間が経過した場合に、オイルリフタ１１を再起動するようにしたので、オイルリフタ１１が空回りしている状態で一定時間経過後に安全装置が作動し、オイルリフタ１１が強制的に停止することを防止できる。従って、オイルリフタ１１が空回りしている状態で、オイルリフタ１１の作動時間を延長することができるため、オイルリフタ１１が空回りしていることに気付き、メインタンク２に給油するまでの時間に余裕を持たせることができる。
【００３４】
さらに、オイルリフタ１１を再起動した後、オイルリフタ１１が空回りしている状態で一定時間が経過した場合に、オイルリフタ１１を停止するようにしたので、オイルリフタ１１が空回りしている状態で一定時間経過後に安全装置が作動し、オイルリフタ１１が強制的に停止することを防止できる。
【００３５】
さらに、電磁ポンプ１２とメインタンク２とを戻り管１２ｆによって連通するとともに、戻り管１２ｆの電磁ポンプ１２側に第２バルブ１２ｇを設けたので、電磁ポンプ１２がエア噛みして貯油槽からサブタンク２０側への灯油の流通量が減少した場合に、第２バルブ１２ｇを開放して貯油槽側からメインタンク２に灯油を流通させ、電磁ポンプ１２内のエア抜きを行うことができる。これにより、電磁ポンプ１２がエア噛みすることにより電磁ポンプ１２による灯油の供給能力が低下した場合でも、容易に電磁ポンプ１２の供給能力を回復させることができる。
【００３６】
また、貯油槽からサブタンク２０側への灯油の流通量を流通量計１２ｄによって検知し、流通量が所定の流通量の下限値を下回る場合に主制御部１３によって第２バルブ１２ｇを所定時間だけ開放し、電磁ポンプ１２のエア噛みを解消するようにしたので、電磁ポンプ１２の供給能力を常に適正に保つことができる。
【００３７】
尚、本実施形態では、各第１ＬＥＤ３３によって各通信線１０，１１の断線の有無を表示するとともに、各第２ＬＥＤ３４によって各サブタンク２０内の灯油の量が下限値以上であることを表示するようにしたものを示したが、各ＬＥＤ３３，３４によって各通信線Ｌ１０，Ｌ１１の断線の有無を表示することも可能である。
【００３８】
この場合の中継器３０の動作について図７に示すフローチャートを参照して説明すると、先ず、主制御部１３と各副制御部２１とが正常に接続されている時は、各第１ＬＥＤ３３が点灯するとともに、各第２ＬＥＤ３４が点灯していない状態とする。ここで、例えば各副制御部２１のうち一つの副制御部２１と中継器３０との通信線Ｌ１１が断線すると（Ｓ５１）、その通信線Ｌ１１が接続されている第２接続部３２の第１ＬＥＤ３３を点灯しないようにするとともに、その第２接続部３２の第２ＬＥＤ３４を点灯する（Ｓ５２）。また、正常に接続されている場合は（Ｓ５１）、第１ＬＥＤ３３の点灯を維持するとともに、第２ＬＥＤ３４を点灯していない状態に維持する（Ｓ５３）。
【００３９】
これにより、各ＬＥＤ３３，３４を確認することにより、容易に各通信線Ｌ１０，Ｌ１１の断線を発見することができる。
【図面の簡単な説明】
【００４０】
【図１】本発明の一実施形態を示す液体燃料供給装置の集合住宅への設置状態を示す概略図
【図２】液体燃料供給装置の概略構成図
【図３】制御系を示すブロック図
【図４】メインタンクから各サブタンクに灯油を供給する際の主制御部の動作を示すフローチャート
【図５】電磁ポンプのエア抜きを行う際の主制御部の動作を示すフローチャート
【図６】主制御部と各副制御部との断線を第１ＬＥＤで表示する際の中継器の動作を示すフローチャート
【図７】主制御部と各副制御部との断線を各ＬＥＤで表示する際の中継器の動作を示すフローチャート
【符号の説明】
【００４１】
１…集合住宅、２…メインタンク、１０…検針盤、１１…オイルリフタ、１１ａ…汲上管、１１ｂ…戻り管、１２…電磁ポンプ、１２ａ…連通管、１２ｂ…連通管、１２ｄ…ストレーナ、１２ｅ…第１バルブ、１２ｆ…戻り管、１２ｇ…第２バルブ、１３…主制御部、１４…エラー表示器、２０…サブタンク、２０ｂ…第３バルブ、２０ｄ…第４バルブ、２１…副制御部、３０…中継器、３１…第１の接続部、３２…第２の接続部、３３…第１ＬＥＤ、３４…第２ＬＥＤ。
【図１】
2006078165.tif 000003
【図２】
2006078165.tif 000004
【図３】
2006078165.tif 000005
【図４】
2006078165.tif 000006
【図５】
2006078165.tif 000007
【図６】
2006078165.tif 000008
【図７】
2006078165.tif 000009